(57)【要約】      （修正有）【課題】回動する際のストローク量の増大ひいてはフックレバーの大型化を招くとことなく、確実にフックスイッチを動作させることができるフックレバー構造を提供する。【解決手段】電話機１のフックレバー３０の構造であって、電話機１の筐体１０に支持される軸部３１と、軸部３１に回動可能に軸支されるフックレバー３０と、を備える。フックレバー３０が、電話機１のハンドセットの受話部によって押下げされるボタン部３２と、軸部３１を挟んでボタン部３２の反対側に位置して回線を開閉するフックスイッチ４０を作動させる作動部３３とを有する。作動部３３が、軸部３１からみて手前側及び奥側において、フックスイッチ４０を動作させる突起部３３１、３３２を有する。【選択図】図１
2018074407.tif 000002
【特許請求の範囲】
【請求項１】
電話機のフックレバー構造であって、  電話機の筐体に支持される軸部と、  前記軸部に回動可能に軸支されるフックレバーと、を備え、  前記フックレバーが、前記電話機のハンドセットの受話部によって押下げされるボタン部と、前記軸部を挟んで前記ボタン部の反対側に位置して回線を開閉するフックスイッチを作動させる作動部とを有し、  前記作動部が、前記軸部からみて手前側及び奥側において、前記フックスイッチを動作させる突起部を有することを特徴とするフックレバー構造。
【請求項２】
前記フックスイッチが前記フックレバーの前記作動部に対して交差する方向に形成された作動レバーを有し、前記作動レバーが前記突起部によって押上げされることを特徴とする請求項１に記載のフックレバー構造。
【請求項３】
前記ボタン部が押下げされたとき、前記突起部が、まずは手前側において、引き続いて奥側において、前記作動レバーを押上げることを特徴とする請求項２に記載のフックレバー構造。
【請求項４】
前記突起部が、互いに離間する手前側の第１突起部と奥側の第２突起部とを含むことを特徴とする請求項１から３のいずれか１項に記載のフックレバー構造。  
【発明の詳細な説明】
【技術分野】
【０００１】
本発明は、フックレバー構造、特に電話機のフックレバー構造に関する。
【背景技術】
【０００２】
従来、電話機において、ハンドセットをオンフック又はオフフックすることにより、回線を切断又は捕捉するフックレバー構造が知られている。すなわち、ハンドセットの受話部を収容する凹部には、揺動自在に取り付けられているフックレバーのボタン部が常時は突出するように設けられており、ボタン部を押下げると、フックレバーの作動部に係合して動作するように設けられているフックスイッチがオフとなることにより、回線が切断される。反対に、ボタン部が突出しているときは、フックスイッチがオンとなることにより、回線が捕捉される。
【０００３】
このようなフックレバー構造を有する電話機は、一般的には固定電話であり、壁掛け状態と卓上状態で使用される。ここで、壁掛け状態の電話機では、ハンドセットが落下しないようにフックが設けられており、概ねハンドセットの位置は固定される。これに対し、卓上状態の電話機では、使用者の便宜を考慮して、筐体の角度を数段階に調整できるものが多いが、その角度によっては、ハンドセットの位置が必ずしも固定されないことがある。例えば、筐体の角度が小さい（電話機が寝ている状態）ときは、ハンドセットの自重によってフックレバーのボタン部が確実に押下げされるが、筐体の角度が大きい（電話機が立っている状態）ときは、使用者の置き方によっては、ハンドセットの自重がフックレバーのボタン部に十分には掛からず、半掛けの状態となる。そうすると、フックスイッチがオフとならず、ひいては回線が切断されないという事象が発生する。
【０００４】
この事象を解消する発明として、例えば特許文献１が開示されている。特許文献１は、フックスイッチのスイッチが確実に開くとともに、フックスイッチの破損を防止することを目的として、フックレバーの回転軸とボタン部との間、又は同回転軸と作動部との間のいずれか一方において、回動軸の周りを弾性変形可能な連結部材で連結するものである。この弾性変形可能な連結部材は、フックレバーのストローク量を大きく取るとともに、大きくなったストロークを吸収する。
【０００５】
しかしながら、特許文献１では、連結部材を形成する必要があるため、フックレバーが大型化するという問題があり、また、連結部材の弾性変形の調整が困難であったり、製造上の個体差や時間の経過に伴う塑性変形によってフックスイッチを完全に押下げできなかったりするという問題があった。
【先行技術文献】
【特許文献】
【０００６】
【特許文献１】特開２０００−２７８３７９号公報
【発明の概要】
【発明が解決しようとする課題】
【０００７】
本発明は、かかる課題に鑑みなされたものであり、回動する際のストローク量の増大ひいてはフックレバーの大型化を招くとことなく、確実にフックスイッチを動作させることができるフックレバー構造を提供する。
【課題を解決するための手段】
【０００８】
上記した課題を解決するために、本発明は、以下の態様によって把握される。（１）本発明に係る態様は、電話機のフックレバー構造であって、電話機の筐体に支持される軸部と、前記軸部に回動可能に軸支されるフックレバーと、を備え、前記フックレバーが、前記電話機のハンドセットの受話部によって押下げされるボタン部と、前記軸部を挟んで前記ボタン部の反対側に位置して回線を開閉するフックスイッチを作動させる作動部とを有し、前記作動部が、前記軸部からみて手前側及び奥側において、前記フックスイッチを動作させる突起部を有することを特徴とする。
【０００９】
（２）上記（１）に記載の構成において、前記フックスイッチが前記フックレバーの前記作動部に対して交差する方向に形成された作動レバーを有し、前記作動レバーが前記突起部によって押上げされる。
【００１０】
（３）上記（２）に記載の構成において、前記ボタン部が押下げされたとき、前記突起部が、まずは手前側において、引き続いて奥側において、前記作動レバーを押上げる。
【００１１】
（４）上記（１）から（３）のいずれか１つに記載の構成において、前記突起部が、互いに離間する手前側の第１突起部と奥側の第２突起部とを含む。
【発明の効果】
【００１２】
本発明によれば、回動する際のストローク量の増大ひいてはフックレバーの大型化を招くとことなく、確実にフックスイッチを動作させることができるフックレバー構造を提供することができる。
【図面の簡単な説明】
【００１３】
【図１】本発明の実施形態であって、電話機の筐体のうち、ハンドセットの受話部を収容する凹部周辺を示す正面図である。
【図２】同じく、フックレバーとフックスイッチを示す斜視図である。
【図３】同じく、ハンドセットの受話部を収容する凹部周辺を示す断面図であって、（ａ）は突起部の手前側と奥側の切替り点を、（ｂ）は突起部の奥側でフックスイッチを押上げきった状態を、それぞれ示す。
【図４】同じく、図３のうち、フックレバーとフックスイッチを抽出して示す図であって、（ａ）は突起部の手前側と奥側の切り替え点を、（ｂ）は突起部の奥側でフックスイッチを押上げきった状態を、それぞれ示す。
【図５】同じく、フックレバーとフックスイッチの動作を示す図であって、（ａ）は初期状態を、（ｂ）は突起部の手前側と奥側の切り替え点を、（ｂ）は突起部の奥側でフックスイッチを押上げきった状態を、それぞれ示す。
【発明を実施するための形態】
【００１４】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１５】
（実施形態の構成）  図１は、電話機１の筐体１０のうち、ハンドセット２０の受話部２１（ハンドセット２０については、図３参照）を収容する凹部１１の周辺を示している。凹部１１の略中央には開口部１２が設けられており、フックレバー３０のボタン部３２が露出している。凹部１１の裏面側にはフックレバー３０の軸部３１を回動可能に支持する軸受部１３が設けられている。
【００１６】
フックレバー３０は、軸受部１３に支持される軸部３１と、軸部３１が貫通する基部３５と、基部３５から図中上方に延在する前述のボタン部３２と、基部３５から図中下方に延在する作動部３３を備えている。軸部３１は、ボタン部３２から延在する一対の軸支持部３４によって挟持されている。フックレバー３０は、軸部３１が軸受部１３によって回動可能であり、ボタン部３２がハンドセット２０の受話部２１などによって押下げされると、作動部３３が押上げられる。
【００１７】
作動部３３と交差する方向にはフックスイッチ４０が位置しており、作動レバー４１の昇降に応じてフックスイッチ４０がＯＦＦ／ＯＮとなる。作動部３３の作動レバー４１側には、作動レバー４１の下面に対向する位置に舌片３３０が延在しており、舌片３３０の上面には、軸部３１から見て手前側に第１突起部３３１が、奥側に第２突起部３３２が設けられている。作動部３３が上昇すると、第１突起部３３１及び第２突起部３３２によって作動レバー４１が押上げされる。
【００１８】
図２は、フックレバー３０及びフックスイッチ４０を抽出して示した斜視図であり、フックレバー３０は、例えば合成樹脂で形成されている。
【００１９】
図３及び図４を参照して、ハンドセット２０の受話部２１を凹部１１に載置したときのフックレバー３０の機能を説明する。図３及び図４では、ハンドセット２０を載置しない場合の常時の状態（初期状態）におけるフックレバー３０を実線で、動作した後の状態を二点鎖線で示している。図３は、筐体１０やハンドセット２０をフックレバー３０とともに図示したもの、図４は、筐体１０やハンドセット２０を省略してフックレバー３０を図示したものである。
【００２０】
図３に示すように、ハンドセット２０の受話部２１が凹部１１に載置されると、フックレバー３０のボタン部３２は、軸部３１を中心として、筐体１０の内側に向かって（図４の矢印Ａ）押下げされる。反対に、作動部３３は押上げされる（図４の矢印Ｂ）。
【００２１】
ここで、図３（ａ）及び図４（ａ）は、フックレバー３０が動作を開始した後、第１突起部３３１と第２突起部３３２が同時にフックスイッチ４０の作動レバー４１に当接した時点を示しており、後述するように、この時点の前後で、両突起部の当接が切替る。この前の状態では、第１突起部３３１のみが作動レバー４１に当接しており、この後の状態では、図３（ｂ）及び図４（ｂ）に示すように、第２突起部３３２のみが作動レバー４１に当接する。
【００２２】
第１突起部３３１と第２突起部３３２は、フックレバー３０の動作する方向と平行する向きに並設されている。換言すると、第１突起部３３１が軸部３１から見て手前側（近い側）に、第２突起部３３２が軸部３１から見て奥側（遠い側）に設けられている。したがって、第１突起部３３１は、小さな力で動作するが、そのストローク量は小さい。逆に、第２突起部３３２は、ストローク量は大きいが、動作するのに大きな力が必要となる。
【００２３】
本実施形態では、これら２つの突起部の特徴を利用することにより、ハンドセット２０が半掛け状態のような場合であっても、確実に、フックスイッチ４０をＯＦＦさせ、回線を切断することができる。
【００２４】
すなわち、ハンドセット２０が半掛けされると、通常の場合、フックレバー３０のボタン部３２が十分に押下げされないため、作動部３３が中途半端にしか押上げされない。これに対し、本実施形態では、半掛け状態の小さい力であっても、作動部３３の第１突起部３３１が作動レバー４１を押上げる。しかし、第１突起部３３１のストローク量が小さいため、作動レバー４１を押上げ切ることはできない。
【００２５】
そのとき、第２突起部３３２が第１突起部３３１に替わって作動レバー４１に当接し、その大きなストローク量を利用して、作動レバー４１を最後まで押上げ切る。ここで、第２突起部３３２は、動作させるのに大きな力を必要とするが、作動レバー４１は第１突起部３３１によって既に動作中であり、第２突起部３３２は小さな力でも動作を開始することができる。このようにして、本実施形態では、２つの突起部による押上げを滑らかに引き継ぐことにより、半掛け状態のような場合であっても、作動レバー４１を押上げ切ることが可能となる。
【００２６】
（実施形態の動作）  図５を参照して、本実施形態に係るフックレバー３０の一連の動作を時系列的に説明する。図５（ａ）は、電話機１のハンドセット２０が取り外されている状態
（初期状態ともいう）を示しており、フックレバー３０は、ボタン部３２が電話機１から最大限露出し、作動部３３が筐体１０の底面に対してほぼ平行な状態となっている（図中、縦方向。図３の実線で表したフックレバー３０と筐体１０の位置関係を参照）。
【００２７】
この状態で、ハンドセット２０又は使用者の手などでフックレバー３０のボタン部３２を押下げすると、軸部３１によって軸支されているフックレバー３０は、ボタン部３２が押下げされると同時に、シーソー状に、ボタン部３２とは反対側の作動部３３が押上げられていく。その際、作動部３３に軸部３１から見て手前側に設けられている第１突起部３３１が、奥側に設けられている第２突起部３３２よりもわずかに背高に構成されていることから、フックスイッチ４０の作動レバー４１は、小さい力で第１突起部３３１によって押上げられていく。
【００２８】
そして、徐々に作動レバー４１が押上げられていくと、図５（ｂ）に示すように、ある時点で、第１突起部３３１と第２突起部３３２の双方が作動レバー４１に当接する状態に至る。フックレバー３０は、前述のとおり、軸部３１の周りをシーソー状に回動するため、手前側にある第１突起部３３１はストローク量が小さく、第１突起部３３１のみが設けられていると、作動レバー４１を最後まで押上げ切ることができない。
【００２９】
本実施形態では、このようなことを避けるため、図５（ｂ）に示すように、第１突起部３３１が離間する前に、作動部３３の奥側に設けられている第２突起部３３２も作動レバー４１に当接させる。そして、フックレバー３０がさらに回動すると、図５（ｃ）に示すように、第１突起部３３１が作動レバー４１から離間し、第１突起部３３１による動作を利用して小さい力でストローク量の大きい第２突起部３３２が作動レバー４１の押上げを引き継いでいく。これにより、作動レバー４１を最後まで押し切ることが可能となる。
【００３０】
（変形例）  上記の実施形態では、手前側の第１突起部３３１と奥側の第２突起部３３２とが互いに離間する別々の突起部として説明したが、第１突起部３３１と第２突起部３３２とを一つの突起部として構成してもよい。例えば、手前側が奥側よりもわずかに背高になるようにした、フックレバー３０の長手方向に延在する態様のものでもよい。その際、手前側と奥側とを結ぶ頂部は直線状でも凹曲線状でもよい。
【００３１】
（実施形態の効果）  本実施形態では、フックレバー３０の作動部３３に、軸部３１から見て、手前側に第１突起部３３１を、奥側に第２突起部３３２を設けたことから、フックレバー３０が回動する際のストローク量の増大ひいては大型化を招くとことなく、確実にフックスイッチ４０を動作させることができるフックレバー構造を提供することができる。
【００３２】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３３】
１…電話機１０…筐体１１…凹部１２…開口部１３…軸受部２０…ハンドセット２１…受話部３０…フックレバー３１…軸部３２…ボタン部３３…作動部３３０…舌片３３１…第１突起部（手前側）３３２…第２突起部（奥側）３４…軸支持部３５…基部４０…フックスイッチ４１…作動レバー 
【図１】
2018074407.tif 000003
【図２】
2018074407.tif 000004
【図３】
2018074407.tif 000005
【図４】
2018074407.tif 000006
【図５】
2018074407.tif 000007